(57)【特許請求の範囲】
【請求項１】
ユニットハウジングの底部にトレッドミルを有し利用者が、水中歩行を含む運動が可能である運動室ユニットを備える運動機器であって、
前記運動室ユニットの両側に接触した状態で配置され前記運動室ユニットに供給されたり戻されたりする水あるいは湯を貯留可能である第１及び第２側タンクを備え、
前記第１側タンクは、内側部材と外側部材とを有しそれらの間に中間貯水槽を有する二重構造であり、
前記外側部材の上部に接続され前記中間貯水槽への給水に利用される上側配管と、前記内側部材の底部に接続され給水あるいは排水に利用可能である下側配管と、前記内側部材の所定高さの給水口に設けられ前記中間貯水槽から前記内側部材内への流れのみを許容する逆止弁と、前記第１側タンクに設けられ前記内側部材内の水位が所定高さを超えたことを検出する水位検出センサと、前記下側配管から分岐し前記内側部材の底部に接続される分岐管と、前記分岐管に設けられる第１電磁切替弁と、前記第１側タンクへの給水時に、前記水位検出センサからの信号を受け前記内側部材内の水位が所定高さを超えたときに前記第１電磁切替弁を、前記内側部材内に入水する入水状態に切替え前記内側部材内への給水をさせる制御手段とを備える、
ことを特徴とする運動機器。
【請求項２】
前記運動室ユニットは、
起立状態の利用者の顔位置に対応して配置される顔認証用カメラと、
前記ユニットハウジングの底部に接続される第１排水管と、前記第１排水管の途中に設けられる第１電磁開閉弁とを備え、
前記制御手段は、前記顔認証用カメラからの信号を受け、前記運動室ユニット内で前記利用者が運動中に前記利用者の顔が前記顔認証用カメラにて撮影できなくなったとき、前記第１電磁開閉弁を開き前記第１排水管を通じて強制排水させるものである、
請求項１記載の運動機器。
【請求項３】
前記運転室ユニットは、タンク排水スイッチを有し、
前記下側配管は、第１及び第２側タンクを接続するものであり、
前記下側配管には、途中に第２電磁開閉弁が設けられている第２排水管が接続され、
前記制御手段は、前記タンク排水スイッチからのタンク排水信号を受けると、前記第１電磁切替弁を、前記内側部材内から排水する排水状態に切替え前記分岐管を通じての排水を許容すると共に、前記第２電磁開閉弁を開くものである、請求項１又は２記載の運動機器。
【請求項４】
前記上側配管と前記下側配管とを接続する中間配管を有し、
前記上側配管は、前記第２側タンクへも給水可能であり、
さらに、前記中間配管に浄化ユニットが設けられ、前記浄化ユニットが、前記水あるいは湯を送水する第１ポンプ、前記水あるいは湯を濾過するフィルタ、前記水あるいは湯を紫外線殺菌するＵＶ装置とを備えるものである、
請求項１〜３のいずれか一項に記載の運動機器。
【請求項５】
さらに、前記第１側タンクに設けられ前記貯留する水あるいは湯の温度を検出する温度検出センサを備え、
前記浄化ユニットは、前記水あるいは湯を加熱するヒータをさらに備え、
前記制御手段は、前記温度検出センサよりの信号を受け、前記貯留する水あるいは湯の温度が目標温度となるように前記ヒータを加熱制御するものである、
請求項４記載の運動機器。
【請求項６】
前記運転室ユニットは、タンク送水スイッチを有し、
前記下側配管は、接続配管を介して前記ユニットハウジングに接続され、
前記接続配管には、第２電磁切替弁が設けられ、前記第２電磁切替弁は、前記下側配管を前記ユニットハウジングにそのまま接続する第１状態と、第２ポンプ及び第３電磁開閉弁を介して前記ユニットハウジングに接続する第２状態とを選択的に取り得るものであり、
前記制御手段は、前記タンク送水スイッチよりの信号を受け、タンク送水時には、第１電磁気切替弁を切替え前記内側部材への送水を可能とすると共に、前記第２電磁切替弁を第２状態にし、前記第３電磁開閉弁を開くものである、
請求項４又は５に記載の運動機器。
【請求項７】
前記運転室ユニットは、タンク返水スイッチを有し、
前記第２電磁切替弁は、前記第２ポンプ及び第４電磁開閉弁を介して前記上側配管に接続される第３状態をさらに取り得るものであり、
前記制御手段は、前記タンク返水スイッチよりの信号を受け、タンク返水時には、第１電磁切替弁を、前記内側部材内に入水する入水状態に切替え前記内側部材への返水を可能とすると共に、前記第２電磁切替弁を第３状態にし、前記第２電磁開閉弁を閉じ、前記第３電磁開閉弁を閉じるものである、
請求項６記載の運動機器。
【請求項８】
前記中間貯水槽を有する二重構造の側タンクは、前記内側部材の内部が前記水あるいは湯を貯留する浴槽部とされ、前記浴槽部は蓋にて開閉可能である、
請求項１〜７のいずれか一項に記載の運動機器。
【発明の詳細な説明】
【技術分野】
【０００１】  本発明は、運動室ユニットと２つの側タンクとを有する運動機器に関する。
【背景技術】
【０００２】  従来、バスタブ入浴を行う浴槽とシャワー入浴を行うための洗い場とを一体で備えたユニットバスが実用に供されている。例えば、壁により囲われたユニット室内に浴槽と洗い場を備え、洗い場側の周壁に出入り可能なドアが設けられ、洗い場には給湯および給水用の混合水栓が設けられている（例えば、特許文献１参照）。また、浴槽の底部にトレッドミルを配設した水中歩行装置も実用化されており、下半身のリハビリや筋力トレーニングなどに利用されている（例えば、特許文献２参照）。【０００３】  しかしながら、バスタブ入浴とシャワー入浴および水中歩行のうち別の入浴方法に変更する場合は、浴槽、洗い場、水中歩行装置の間を移動しなければならない。特に、水中歩行装置を利用する場合は、併設されている階段で装置の上まで上がり、そこから梯子を伝って水槽内に下りなければならない。したがって、移動が面倒であるとともに、要介護者の場合は困難な場合もある。【０００４】  そこで、１つの入浴スペースでバスタブ入浴とシャワー入浴および水中歩行が行える入浴装置が提案されている（例えば、特許文献３参照）。
【先行技術文献】
【特許文献】
【０００５】
【特許文献１】特開平８−２６０７２２号公報
【特許文献２】特開平８−２０６２５１号公報
【特許文献３】特開２０１１−１５８４９号公報（図５）
【発明の概要】
【発明が解決しようとする課題】
【０００６】  特許文献３に記載のものでは、入浴装置とは別に、水中歩行が行える室内に水を供給する貯留タンクに設けているため、設置に必要とされるスペースが大きくなる。【０００７】  また、近年、高齢者人口の増加に伴い高齢の歩行困難による寝たきり人口の増加に伴い介護が必要な人の人口が増えつつある。そのため、近年介護予防としてリハビリデイサービスでの筋力増加のための運動などが増加している。【０００８】  しかし、高齢者の筋トレは関節を痛める可能性があり、また、プールでの水中歩行はプール施設までの往来が必要となる。従来の浴槽では水中歩行ができないからである。【０００９】  そこで、発明者は、水中歩行や椅子による全身入浴やシャワーの利用可能な運動室ユニット（本体浴槽）を中心に、その両側に保温可能なタンクをそれぞれ配置し、前記タンクを浴槽としても利用できるようにすれば、従来のユニットバスと同様な入浴装置として使用できることに着想し、次世代の運動可能な入浴機器となる、本発明を開発したものである。【００１０】  本発明は、少ない設置スペースで運動室ユニットと２つの側タンクとをコンパクトに配置でき、水中歩行、入浴、シャワーが可能である運動機器を提供することを目的とする。
【課題を解決するための手段】
【００１１】  請求項１の発明は、ユニットハウジングの底部にトレッドミルを有し利用者が、水中歩行を含む運動が可能である運動室ユニットを備える運動機器であって、前記運動室ユニットの両側に接触した状態で配置され前記運動室ユニットに供給されたり戻されたりする水あるいは湯を貯留可能である第１及び第２側タンクを備え、前記第１側タンクは、内側部材と外側部材とを有しそれらの間に中間貯水槽を有する二重構造であり、前記外側部材の上部に接続され前記中間貯水槽への給水に利用される上側配管と、前記内側部材の底部に接続され給水あるいは排水に利用可能である下側配管と、前記内側部材の所定高さの給水口に設けられ前記中間貯水槽から前記内側部材内への流れのみを許容する逆止弁と、前記第１側タンクに設けられ前記内側部材内の水位が所定高さを超えたことを検出する水位検出センサと、前記下側配管から分岐し前記内側部材の底部に接続される分岐管と、前記分岐管に設けられる第１電磁切替弁と、前記第１側タンクへの給水時に、前記水位検出センサからの信号を受け前記内側部材内の水位が所定高さを超えたときに前記第１電磁切替弁を、前記内側部材内に入水する入水状態に切替え前記内側部材内への給水をさせる制御手段とを備える、ことを特徴とする。【００１２】  このようにすれば、運動室ユニットの両側に第１及び第２側タンクが接触した状態で配置されているので、少ない設置スペースで運動室ユニットと２つの側タンクを配置することができる。【００１３】  また、運動室ユニット（本体浴槽）の両側に第１及び第２側タンクを接触した状態で配置して配管をつなぐことで、運動室ユニットとタンクとが分離している場合に比べて、配管や電線工事が簡単にすることができる。従来の浴室を、丸ごと、この運動機器で実現することができ、加えて健康保持増進のための水中歩行を同時に行うことができるようになる。よって、次世代の水中歩行可能な入浴装置としても利用することができ、健康維持増進・疾病予防が自宅やホテルなどで可能になる。【００１４】  特に、中間貯水槽の水位が内側部材の所定高さを超えたときに、中間貯水槽から逆止弁を通じて、浴槽となる内側部材内へ水あるいは湯が流れ込み、前記内側部材内の水位が所定高さを超えたことを水位検出センサによって検出されたとき、第１電磁切替弁を、前記内側部材内に入水する入水状態に切替えられ下側配管からの給水が開始される。これにより、ある程度溜まった状態で、下側配管を通じての給水が行われるので、浴槽となる内側部材内へ急激な給水で、内側部材に水あるいは湯を吹き上げることが防止される。【００１５】  請求項２に記載のように、前記運動室ユニットは、起立状態の利用者の顔位置に対応して配置される顔認証用カメラと、前記ユニットハウジングの底部に接続される第１排水管と、前記第１排水管の途中に設けられる第１電磁開閉弁とを備え、前記制御手段は、前記顔認証用カメラからの信号を受け、前記運動室ユニット内で前記利用者が運動中に前記利用者の顔が前記顔認証用カメラにて撮影できなくなったとき、前記第１電磁開閉弁を開き前記第１排水管を通じて強制排水させるものである、ことが望ましい。【００１６】  このようにすれば、利用者が、運動中に、転倒などして前記利用者の顔が前記顔認証用カメラにて撮影できなくなったとき、前記運動室ユニット内の水を強制排水させることができ、安全性の向上を図ることができる。よって、高齢者であっても安心して利用することができる。【００１７】
請求項３に記載のように、前記運転室ユニットは、タンク排水スイッチを有し、前記下側配管は、第１及び第２側タンクを接続するものであり、前記下側配管には、途中に第２電磁開閉弁が設けられている第２排水管が接続され、前記制御手段は、前記タンク排水スイッチからのタンク排水信号を受けると、前記第１電磁切替弁を、前記内側部材内から排水する排水状態に切替え前記分岐管を通じての排水を許容すると共に、前記第２電磁開閉弁を開くものである、ことが望ましい。
【００１８】このようにすれば、分岐管や下側配管を補助排水管として利用することができるので、速やかな排水を行うことができる。【００１９】  請求項４に記載のように、前記上側配管と前記下側配管とを接続する中間配管を有し、前記上側配管は、前記第２タンクへも給水可能であり、さらに、前記中間配管に浄化ユニットが設けられ、前記浄化ユニットが、前記水あるいは湯を送水する第１ポンプ、前記水あるいは湯を濾過するフィルタ、前記水あるいは湯を紫外線殺菌するＵＶ装置とを備えるものである、ことが望ましい。【００２０】  このようにすれば、前記水あるいは湯を、衛生上問題なく，再利用することができる。【００２１】
請求項５に記載のように、さらに、前記第１側タンクに設けられ前記貯留する水あるいは湯の温度を検出する温度検出センサを備え、前記浄化ユニットは、前記水あるいは湯を加熱するヒータをさらに備え、前記制御手段は、前記温度検出センサよりの信号を受け、前記貯留する水あるいは湯の温度が目標温度となるように前記ヒータを加熱制御するものである、ことが望ましい。
【００２２】  このようにすれば、浴槽として利用する第１タンクに貯留される水あるいは湯の温度を目標温度に維持できるので、目標温度での入浴がいつでも可能となる。【００２３】  請求項６に記載のように、前記運転室ユニットは、タンク送水スイッチを有し、前記下側配管は、接続配管を介して前記ユニットハウジングに接続され、前記接続配管には、第２電磁切替弁が設けられ、前記第２電磁切替弁は、前記下側配管を前記ユニットハウジングにそのまま接続する第１状態と、第２ポンプ及び第３電磁開閉弁を介して前記ユニットハウジングに接続する第２状態とを選択的に取り得るものであり、前記制御手段は、前記タンク送水スイッチよりの信号を受け、タンク送水時には、第１電磁気切替弁を切替え前記内側部材への送水を可能とすると共に、前記第２電磁切替弁を第２状態にし、前記第３電磁開閉弁を開くものである、ことが望ましい。【００２４】  このようにすれば、タンクに貯留される水あるいは湯をユニットハウジング内に送水することができる。【００２５】
請求項７に記載のように、前記運転室ユニットは、タンク返水スイッチを有し、前記第２電磁切替弁は、前記第２ポンプ及び第４電磁開閉弁を介して前記上側配管に接続される第３状態をさらに取り得るものであり、前記制御手段は、前記タンク返水スイッチよりの信号を受け、タンク返水時には、第１電磁切替弁を、前記内側部材内に入水する入水状態に切替え前記内側部材への返水を可能とすると共に、前記第２電磁切替弁を第３状態にし、前記第２電磁開閉弁を閉じ、前記第３電磁開閉弁を閉じるものである、ことが望ましい。
【００２６】  このようにすれば、タンク内にユニットハウジングから、水あるいは湯を返水することができる。【００２７】  請求項８に記載のように、前記中間貯水槽を有する二重構造の側タンクは、前記内側部材の内部が前記水あるいは湯を貯留する浴槽部とされ、前記浴槽部は蓋にて開閉可能である、ことが望ましい。【００２８】  このようにすれば、浴槽として利用しない場合には、浴槽部を蓋をしておくことができ、通常のタンクとして利用することができる。
【発明の効果】
【００２９】  本発明は、運動室ユニットの両側に第１及び第２側タンクが接触した状態で配置されているので、少ない設置スペースで運動室ユニットと２つの側タンクを配置することができる。【００３０】  また、運動室ユニット（本体浴槽）の両側に接触した状態で側タンクを配置して配管をつなぐことで、運動室ユニットとタンクとが分離している場合に比べて、配管や電線工事が不要となる。従来の浴室を、丸ごとこの運動装置で補うことが可能になり、加えて健康保持増進のための水中歩行が同時に可能になる。よって、次世代の水中歩行が可能である入浴装置として、健康維持増進や疾病予防が自宅やホテルなどで可能になる。【００３１】  それに加えて、ある程度溜まった状態で、下側配管を通じての給水を行うようにしているので、浴槽となる内側部材内へ急激な給水で、内側部材に水あるいは湯を吹き上げることを防止できる。
【図面の簡単な説明】
【００３２】
【図１】本発明の一実施の形態である運動機器を後側から見た斜視図である。
【図２】同運動機器を前側から見た斜視図である。
【図３】同機器の正面図である。
【図４】同機器のユニットハウジング５の前部内側面を示す図である。
【図５】（ａ）〜（ｃ）はそれぞれ浴槽となる側タンクでの入水時の説明図である。
【図６】給水系統図である
【図７】配管系統図である。
【図８】濾過フィルタ利用時における配管系統図である。
【図９】タンク排水時における配管系統図である。
【図１０】シャワー利用時における排水の配管系統図である。
【図１１】スピンドル・ジャグジー利用時における配管系統図である。
【図１２】タンク送水時におけ配管系統図である。
【図１３】タンクへの返水時における配管系統図である。
【図１４】コントロールパネルに表示される画像の一例を示す図である。
【図１５】コントロールパネルに表示される画像の一例を示す図である。
【図１６】コントロールパネルに表示される画像の一例を示す図である。
【図１７】コントロールパネルに表示される画像の一例を示す図である。
【図１８】コントロールパネルに表示される画像の一例を示す図である。
【図１９】コントロールパネルに表示される画像の一例を示す図である。
【発明を実施するための形態】
【００３３】  以下、本発明の実施の形態を図面に沿って説明する。
【００３４】  図１は本発明の一実施の形態である運動機器を後側から見た斜視図、図２は同運動機器を前側から見た斜視図、図３は同機器の正面図、図４は同機器のユニットハウジング５の前部内側面を示す図である。
【００３５】  図１及び図２に示すように、運動機器１は、運動室ユニット２と、運動室ユニット２の左右に配置される２つの側タンク（第１及び第２側タンク３，４）とを備え、全体として略左右対称な配置となっている。なお、運動室ユニット２は、後側部分が、水中歩行などの運動を行う運動室ともなる本体浴槽とされ、前側部分（空間部分）において、側タンク３，４との配管や、電気配線がなされている。側タンク３，４は、それぞれ６００リットル程度の貯水が可能である。
【００３６】  運動室ユニット２の後側部分である本体浴槽は、上方が開放されたユニットハウジング５とされ、その内部底面上にトレッドミル６が配置され、内部で利用者が、水中歩行などの運動ができるようになっている。
【００３７】  ユニットハウジング５の前側には、ユニットハウジング５の開口部分上まで延びる支持部材７が設けられ、その上端部付近に天井シャワー８が配置されている。また、支持部材７には、天井シャワー８の下側位置において、防水タブレットＰＣからなるＴＶ９と、防水タブレットＰＣからなるコントロールパネル１０とが上下に並んで設けられている。
【００３８】  ユニットハウジング５（運動室ユニット２）は、図３に示すように、左右の側面が第１平坦面とされる一方、第１及び第２側タンク３，４は、運動室ユニット２側の側面が、前記第１平坦面に対向する第２平坦面とされている。第１平坦面と第２平坦面とが接触した状態で運動室ユニット２の両側に２つの側タンク３，４が接触して配置され、運動室ユニット２の左右両側に側タンク３，４が寄り添う形となっている。よって、１つのまとまりとして設置でき、少ない設置スペース（占有スペース）で運動室ユニット２と２つの側タンク３，４を配置できる。
【００３９】  運動室ユニット２に第１及び第２側タンク３，４を位置決めして設置し、その際に、運動室ユニット２と各側タンク３，４との間の配管の接続も、ワンタッチで管の端部同士を接続できるようにすれば、配管の接続作業も容易になる。
【００４０】  ユニットハウジング５の前部内側面の上部平坦部付近には、図４に示すようにコントロールパネル１０に向かって左側から非常停止ボタン１１Ａ、温調器１２、止水栓１３、シャワーヘッド１４が順に設けられている。そしてそれらの下側左右にはジャグジーノズル１５が、それらの間には上側からスピンドルジェット１６、折り畳み式の椅子１７、ＬＥＤ１８、非常排水栓１９ａ，入排水口１９Ｂが順に設けられ、底面上に歩行・走行用の水中コンベアであるトレッドミル６が配置されている。また、利用者のための把持棒２０が３つ設けられている。なお、、ユニットハウジング５の前面側側部にも、非常停止ボタン１１Ｂが設けられている。
【００４１】  側タンク３，４は、水あるいは湯を貯留する機能を有するもので、前記貯留される水あるいは湯がユニットハウジング５の本体浴槽（運動室）内に供給されたり戻されたりするように構成されている。トレッドミル６は、具体的に図示していないが、駆動ベルトの回転方向がユニットハウジング５の前後方向とほぼ一致するように配置されており、コントロールパネル１０で走行、停止、スピード調整などの操作が行えるようになっている。
【００４２】  第１及び第２側タンク３，４は、全体外観形状が同一であり、第１平坦面の高さは、第２平坦面の高さの２倍以上であるので、運動室ユニット２から第２側タンク４を取り外し、第２側タンク４を運動室ユニット２の側部に沿わせるように第１側タンク３の上に積み重ねることができる。よって、運動室ユニット２と第１及び第２側タンク３，４を、コンパクトな一つのまとまりとすることができ、設置する場所への搬送の際に便利である。
【００４３】  ユニットハウジング５はＦＲＰで形成され、上部が開口する箱型形状をしており、幅方向の長さに対して高さ方向および前後方向の長さを長くし、かつ前部の幅を先端に向かって徐々に狭めた船型形状の外観を備えている。ユニットハウジング５の高さは、利用者が直立した状態で利用者の体の大部分が納まるようになっており、幅は利用者が窮屈に感じない程度でかつ省スペース化を図れる大きさになっている。そして、ユニットハウジング５の左右側壁には、横長の楕円形の大きな窓５ａ，５ａが設けられ、強化ガラスが嵌め込まれている。
【００４４】  ユニットハウジング５は水密構造になっており、水が満杯になった状態でもその水圧に耐え得るだけの十分な強度を備えている。内部への出入りは、後部壁に設けられている水密構造のメインドア５ｂから行うことができる。レバーハンドル５ｃによってメインドア５ｂが開閉される。
【００４５】  運動室ユニット２の前側部分（内部空間部分）には、後述するように配管２１（給水管、給湯管及び排水管となる配管）が設けられ、第１及び第２側タンク３，４とユニットハウジング５との間での水あるいは湯のやりとりや、それらからの排水が行えるようになっている。
【００４６】  第１側タンク３は、浴槽としても利用可能なもので、図５（ａ）（ｂ）（ｃ）に示すように、内側部材２５と外側部材２６とを有しそれらの間に中間貯水槽２７を有する二重構造である。外側部材２６には運動室ユニット２側に接続される上側配管２１ａと、内側部材２５の底部に接続され給水あるいは排水に利用可能である下側配管２１ｂと、内側部材２５の所定高さに設けられ中間貯水槽２７から内側部材２５内への流れのみを許容する逆止弁２８と、第１側タンク３に設けられ内側部材２５内の水位が所定高さを超えたことを検出する水位検出センサ２９と、下側配管２１ｂから分岐し内側部材２５の底部に接続される分岐管２１ｄと、分岐管２１ｄに設けられる入水・排水弁３０（第１電磁切替弁）とが設けられる。入水・排水弁３０は、内側部材２５内に入水する入水（給水）状態と、内側部材２５内から排水する排水状態と、通水（給水・排水）を遮断する通水遮断状態に切り替えるものである。つまり、入水・排水弁３０は、分岐管２１ｄにおける水あるいは湯の流れの方向を切り替えるものである。
【００４７】  そして、制御手段３０は、第１タンク３への給水時に、内側部材２５内の水位が所定高さを超え、水位検出センサ２９からの信号を受けると、入水・排水弁３０が入水状態となるように切替制御し、内側部材２５内への給水を開始させるようになっている。また、第１側タンク３には、貯留する水の温度を検出する温度検出センサ２３が設けられ、温度検出センサ２３も、制御手段３１（加熱制御部）に連係されている。
【００４８】  浴槽となる内側部材２５の前部には浴槽用混合栓４１が、前後方向の中央部には手摺り４２が、後部には入浴用枕４３がそれぞれ設けられている。内側部材２５の内部側面に給水口４４ａが、底面に給水・排水口４４ｂが、この給水・排水口４４ｂの近傍に排水口４５がそれぞれ設けられている。なお、浴槽のみ利用の場合には、混合栓４６で内側部材２５の内部となる浴槽にお湯を溜め、排水口４５より排水する。なお、マイクロバブル４７も備える（例えば図７参照）である。
【００４９】  第１側タンク３への入水時には、図５（ａ）に示すように、上部配管２１ａから中間貯水槽２７に入水し、中間貯水槽２７の水位が逆止弁２８（給水口４４ａ）を超えると、給水口４４ａを通じての、内側部材２５内への入水が始まる。これは、浴槽となる内側部材２５の底面部に設けられている給水・排水口４４ｂから直ちに入水すると、浴槽内に水がないので、給水（入水）が吹き上がることを防止するためである。
【００５０】  この給水口４４ａを通じての入水により、図５（ｂ）に示すように、内側部材２５（浴槽）の下部に水あるいは湯が溜まり、水位検出センサ２９によって水位が所定の高さ（例えば底面から１０ｃｍ程度の高さ）になったことが検出されると、図５（ｃ）に示すように、下部配管２１ｂに設けられている入水・排水弁３０が切り替えられて、給水・排水口４４ｂを通じての入水が開始される。これにより、給水口４４ａと給水・排水口４４ｂとから入水されるので、浴槽内の水あるいは湯が急速に増加する。
【００５１】  なお、第１側タンク３は、上部が開放され、浴槽として利用できるが、浴槽として利用しない場合には図３に鎖線で示すように、蓋３Ａにて開閉可能に覆うことができる。第２側タンク４も浴槽として利用することもできる。
【００５２】  運動機器１によれば、運動室ユニット２の前側部分（前部空間）に、濾過機能を含む給排水機能を有する浄化ユニット５１を一体的に設け，その側方に配置する側タンク３，４と浄化ユニット５１とを配管でつなぐことで、従来のタンクと濾過器とが分離型であるものとは異なり、設置現場での配管や電線工事が不要となる。そして、バスと水中歩行やシャワーを利用する場合は、従来は移動する必要が生じていたが、従来の浴室(シャワーを含む）を、丸ごと、この運動機器１で補うことが可能になり、加えて健康保持増進のための水中歩行が同時に可能になる。よって、次世代の水中歩行可能入浴装置として、健康維持増進疾病予防が自宅・ホテルなどで可能になる。
【００５３】  このように構成されている運動機器１は、病院のリハビリ室、スポーツクラブのプールサイドやフィットネスルーム、一般家庭における洋間やリビングの床のタイル張りがされた区画などに設置可能である。
【００５４】  また、給水系統は、例えば図６に示すように、配管２１が、第１及び第２側タンク３，４の前側上部に接続される部分やユニットハウジング５の運転室やシャワー系統に接続される部分を有する。つまり、給湯管２１Ａからの給湯と給水管２１Ｂからの給水とが第１混合栓５１Ａにて混合されて温度調整され、電磁開閉弁５２Ａを開くことで、ユニットハウジング５や第１及び第２側タンク３，４への給湯が行われる。同様に第２混合栓５１Ｂにて混合されて温度調整され、電磁開閉弁５２Ｂを開くことで、ボディシャワーを行ったり、止水栓１３を経てシャワーヘッド１４にてシャワーを行うことができる。
【００５５】  給湯管２１Ａからの給湯と給水管２１Ｂからの給水は混合栓水栓４１にて温度調整されて浴槽（内側部材２５）内への給湯（給水）を行うようになっている。
【００５６】  配管系統は、例えば図７に示すように構成され、運動室ユニット２の前側に設けられる浄化ユニット５１は、両タンク３，４への給水のための上下側配管２１ａ，２１ｂを含み、上下側配管２１ａ，２１ｂを接続する中間配管２１ｃの途中に第１ポンプ５４、ヒータ５５、フィルタ５６、及びＵＶ装置５７が順に設けられている。上側配管２１ａは両タンク３，４の前側上部に、下側配管２１ｂは両タンク３，４の前側底部にそれぞれ接続されている。また、下側配管２１ｂは、排水弁５８(第２電磁開閉弁）を有する排水管２２Ａ(第２排水管）や入水・排水弁３０を有する分岐管２１ｄを介して、第１タンク３の底部に接続される部分を有する。配管２１が立ち上がる中間配管２１ｃに、フィルタ５６を配置しているので、フィルタ５６が大きくても、無理なく設けることができる。
【００５７】  運動室ユニット２は、第２ポンプ６１、第１送水弁６２Ａ(第３電磁開閉弁）、電磁切替弁６３のほか、下側配管２１ｂをユニットハウジング５内に接続する接続配管５９、スピンドル送水弁６４，第２送水弁６２Ｂ(電磁開閉弁）、ジャグジー送水弁６５Ａ，６５Ｂ(電磁開閉弁）、ＬＥＤ１８を有するほか、排水管２２Ｂに設けられる排水用電磁開閉弁６７（第１電磁開閉弁）を有する。
【００５８】  そして、コントロールパネルには、濾過フィルター利用スイッチ、タンク排水スイッチ、シャワー利用時排水スイッチ、スピンドル・ジャグジー利用スイッチ、タンク送水スイッチ、タンク返水スイッチなどが表示され、それらを選択することで、各動作が行われる。
【００５９】  例えば濾過フィルタ利用スイッチを選択した濾過フィルター利用時には、両側タンク３，４からの排水は下側配管２１ｂに流れ、第１ポンプ５４、ヒータ５５、フィルタ５６、及びＵＶ装置５７を経て，上側配管２１ａから両タンク３，４に戻される（図８参照）。
【００６０】
タンク排水スイッチを選択したタンク排水時には、排水弁５８が開状態とされ、入水・排水弁３０が排水状態に切り替えられ、両タンク３，４より下側配管２１ｂを経て外部に排水される（図９参照）。
【００６１】  シャワー利用時排水スイッチを選択したシャワー利用時排水は、ユニットハウジング５内の排水口を外部に開放する配管の途中の排水用電磁開閉弁６７を開くことにより、排水管２２Ａ，２２Ｂを通じて実行される（図１０参照）。
【００６２】  スピンドル・ジャグジー利用スイッチを選択したスピンドル・ジャグジー利用時には、電磁切替弁６３が、ユニットハウジング２内と第２ポンプ６１とを接続するように切替えられ、第２ポンプ６１が駆動され、ユニットハウジング５内からの流れが、開状態のスピンドル送水弁６４や、開状態のジャグジー送水弁６５Ａ，６５Ｂを経てユニットハウジング５内に戻される（図１１参照）。
【００６３】
タンク送水スイッチを選択した、タンクからの送水時には、入水・排水弁３０が、排水状態とされ、電磁切替弁６３がユニットハウジング２内と第２ポンプ６１とを接続するように切替えられ、第２ポンプ６１が駆動されることで、下側配管２１ｂに側タンク３，４内の水あるいは湯が流れ、電磁切替弁６３、第２ポンプ６１及び第１送水弁６２Ａを経て、ユニットハウジング５内に送られる（図１２参照）。
【００６４】
タンク返水スイッチを選択した、タンクへの返水時には、入水・排水弁３０が、排水状態とされ、電磁切替弁６３がユニットハウジング２内と第２ポンプ６１とを接続するように切替えられ、第２ポンプ６１が駆動されることで、上側配管２１ａにユニットハウジング５内の水あるいは湯が流れ、各側タンク３，４に戻される（図１３参照）。
【００６５】  前述したように、運動室ユニット２は、第１及び第２側タンク３，４と配管２１にて接続され、第１及び第２側タンク３，４から運動室ユニット２に給水することもできる。よって、リハビリや脚力強化などのため水中歩行に利用する際に、運動室ユニット２内に給水できるようになっている。たとえば、運動室ユニット３内に利用者は入った後、コントロールパネル１０の画面に表示されている水中歩行用の給湯ボタンを押すと、排水口が自動的に閉じられて、あらかじめ設定した量の湯が、第１及び第２側タンク３，４から自動的に供給される。そして、コントロールパネル１０でトレッドミル６の走行速度を設定し、走行ボタンを押す。走行ボタンを押すとベルトが走行し始めるため、利用者は、トレッドミル６上を歩行することができる。また、シャワーを浴びたりすることもできるようになっている。
【００６６】  水中歩行終了後に、入浴する場合には、第１側タンク３において、ヒータ５５による温度制御によって、浴槽である内側部材２５内の湯の温度は上限温度を超えないように保持され、所定の水深で貯留されているので、直ちに入浴することができる。
【００６７】  また、支持部材７の、コントロールパネル１０付近には起立状態の利用者の顔位置に対応して顔認証用カメラが配置されている。
【００６８】  ユニットハウジング５の底部には排水管２２Ｂ(第１排水管）が接続され、この排水管２２Ｂの途中に排水用電磁開閉弁６７が設けられている。そして、制御装置は、コントロールパネル１０が備える顔認証用カメラ１０ａからの信号を受け、運動室ユニット２内で前記利用者が運動中に前記利用者の顔が顔認証用カメラ１０ａにて撮影できなくなったとき、排水用電磁開閉弁６７を開き排水管２２Ｂを通じて強制排水させるものである、
【００６９】  続いて、運転機器１の動作について説明する。  まず、運動室ユニット２内に設置されるコントロールパネル１０（防水タブレットＰＣ）にて、側タンク３，４への注水を選択すると、側タンクへ３，４の給水が始まり、予め定められた満水水位まで溜まると、タンク用水位センサにより検出され、自動的に給水を停止する（図１４参照）。なお、湯はりや予約などの注水開始の指示は携帯電話からも通信で行うこともできる。
【００７０】  また、タンクに溜まった水は、運動室ユニット２の前部に設けられた浄化ユニット５１により、自動的に濾過や紫外線殺菌により浄化され、ヒーター５５にて温度上限温度（例えば、３０〜３５℃）を超えないようにが自動的に管理される。つまり、図９に示すように、第１ポンプ５４にて各タンク３，４より排水され、ヒータ５５、フィルタ５６、ＵＶ装置５７を通じて、タンク３，４に戻される。
【００７１】  利用者はユニットハウジング５（運動室ユニット２）のメインドア５ｂを開き、内部に入る。そのとき、メインドア５ｂが完全に締まってないと、ロック確認センサー（図示せず）が働いて、入水を行うことができない。
【００７２】  完全にロックされたら、コントロールパネル１０にてモードを選択する。つまり、コントロールパネルに、図１５に示すような画面が表示され、水中歩行（ｗａｌｋ）、 スパ（Ｓｐａ）、 シャワー（Ｓｈｏｗｅｒ）のモードのいずれかを選択することができる。
【００７３】（水中歩行モード）  例えば水中歩行モードを選択した場合には、まず、顔認証が行われる。その後、マニュアルモードとするかオートモードとするかを選択する。
【００７４】  マニュアルモードでは、水位設定を選択して（図１６参照）、入水が開始されると、第２ポンプが駆動され、側タンク３，４からの送水が開始される。
【００７５】  入水開始後一定時間経過後（例えば２０秒経過後）に、スピードボタンを操作することが可能になる。
【００７６】  また、規定水位まで達したらジャグジーやスピンドルジェットを操作することが可能になる。
【００７７】  終了時にはスピードを停止し、 排水を選択して排水をする。なお、シャワー利用時の排水は、図１０に示すように、排水用電磁開閉弁６７が開放されることで行われる。
【００７８】  オートモードでは、画面に各オートモードが表示される（図１７参照）。
【００７９】  歩行から走行までの各コース（レベル１〜５）が表示されるので、コースを選択すると、自動で給水が始まり 自動で歩行速度あるいは走行速度が上がり下がりする。このオートモードでは、自動でジャグジーやスピンドルジェットが動作し、自動的に排水して終了する。
【００８０】  なお、オートモード途中での緊急停止ボタンを押すと、オートモードが中断され、急速排水が開始される。
【００８１】  また、オートモードでもマニュアルモードでも、顔認証システムが動作しているので、利用者が、万が一転倒した場合においては、顔認証システムがそれを検知して、緊急停止し、急速排水を開始する。排水弁だけでなく、入水・排水弁も開放され、排水される。それと共に、外部への警報装置が作動する。
【００８２】（スパモード）  スパモードを選択した場合にもマニュアルモードとオートモードがある。  マニュアルモードは水位を選択して、マイクロバブルやジェットバスを選択して利用できる（図１８参照）。
【００８３】  また、オートスパモードを選択した場合は、自動的に湯はりされ、決められた時間内にマイクロバブルやジェットバスが順番に作動し、ＬＥＤ１８も自動で点灯し、終了すると、自動的に排水される。なお、スパ利用時には、備えつけ折りたたみ椅子を利用することができる。また、スパモード利用時には中にアクアバイクも入れて利用することができる。
【００８４】  なお、スピンドル・ジャグジー利用時には、図１１に示すように、電磁切替弁６３が切替えられ、ポンプが駆動される。
【００８５】  上記の水中歩行やスパモードのときに停電となり、電気で排水ができなくなった場合は、内部に備えつけの手動排水栓を開くことで、排水することができる。
【００８６】（シャワーモード）
【００８７】  シャワー選択時には、ボディシャワーかハンドシャワーかをコントロールパネル１０で選択して利用することができる（図１９参照）。コントロールパネル１０でシャワーモードを選択すれば、ボディシャワーは自動で作動し、シャワーヘッド１４を使用する場合は、止水栓１３を用いる。
【００８８】  シャワー利用時には、下部排水弁が開き自動的に排水される。排水後外に出ることが可能になる。
【００８９】
タンクの水を排水する場合は、コントロールパネル１０の画面で排水を選択すると、電動バルブが開閉してタンク内の水が排水される。図９に示すように、排水弁５８、入水・排水弁３０が開放され、排水される。タンク横の水位センサーが排水を感知して電動弁が排水完了後閉じる。
【符号の説明】
【００９０】１  運動機器２  運動室ユニット３，４  側タンク５  ユニットハウジング５ａ  窓５ｂ  メインドア５ｃ  レバーハンドル６  トレッドミル７  支持部材８  天井シャワー９  ＴＶ１０  コントロールパネル１１Ａ，１１Ｂ  非常停止ボタン１２  温調器１３  止水栓１４  シャワーヘッド１５  ジャグジーノズル１６  スピンドルジェット１７  折り畳み式椅子１８  ＬＥＤ１９  入排水口２０  把持棒２１  配管２１Ａ  給湯管２１Ｂ  給水管２１ａ  上側配管２１ｂ  下側配管２１ｃ  中間配管２１ｄ  分岐管２２Ａ，２２Ｂ  排水管２５  内側部材２６  外側部材２７  中間貯水槽２８  逆止弁２９  水位検出センサ３０  入水・排水弁（第１電磁切替弁）３１  制御手段４１  浴槽用混合栓４２  手摺り４３  入浴用枕４４ａ  給水口４４ｂ  給水・排水口４５  排水口４６  混合栓４７  マイクロバブル５１Ａ  第１混合栓５１Ｂ  第２混合栓５２Ａ，５２Ｂ  電磁開閉弁５３  混合栓水栓５４  第１ポンプ５５  ヒータ５６  フィルタ５７  ＵＶ装置５８  排水弁（第２電磁開閉弁）５９  接続配管６１  第２ポンプ６２Ａ  第１送水弁(第３電磁開閉弁）６２Ｂ  第２送水弁(第４電磁開閉弁）６３  電磁切替弁（第２電磁切替弁）６４  スピンドル送水弁(電磁開閉弁）６５Ａ，６５Ｂ  ジャグジー送水弁(電磁開閉弁）６７  排水用電磁開閉弁（第１電磁開閉弁） 
【要約】【課題】少ない設置スペースで運動室ユニットと２つの側タンクとをコンパクトに配置でき、水中歩行、入浴、シャワーが可能である運動機器を提供する。【解決手段】運動室ユニット（２）の両側に接触状態で配置され運動室ユニット（２）に供給したり戻したりする水あるいは湯を貯留可能である側タンク（３），（４）を備える。側タンク（３）は、内側部材（２５）と外側部材（２６）との間に中間貯水槽（２７）を有する二重構造で、外側部材（２６）の上部に接続され中間貯水槽（２７）への給水を行う上側配管（２１ａ）と、内側部材（２５）の底部に接続され内側部材（２５）内への給水あるいは排水を行う下側配管（２１ｂ）と、内側部材（２５）の所定高さに設けられ中間貯水槽（２７）から内側部材（２５）内への流れのみを許容する逆止弁（２８）と、側タンク（３）に設けられ内側部材（２５）内の水位が所定高さを超えたことを検出する水位検出センサ（２９）と、下側配管（２１ｂ）に設けられる電磁切替弁である入水・排水弁（３０）とを備え、内側部材（２５）内の水位が所定高さを超えたときに入水・排水弁（３０）を開く。【図１】
0006635572.tif 000002
【図２】
0006635572.tif 000003
【図３】
0006635572.tif 000004
【図４】
0006635572.tif 000005
【図５】
0006635572.tif 000006
【図６】
0006635572.tif 000007
【図７】
0006635572.tif 000008
【図８】
0006635572.tif 000009
【図９】
0006635572.tif 000010
【図１０】
0006635572.tif 000011
【図１１】
0006635572.tif 000012
【図１２】
0006635572.tif 000013
【図１３】
0006635572.tif 000014
【図１４】
0006635572.tif 000015
【図１５】
0006635572.tif 000016
【図１６】
0006635572.tif 000017
【図１７】
0006635572.tif 000018
【図１８】
0006635572.tif 000019
【図１９】
0006635572.tif 000020